【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
患者の口腔に電気刺激を与えるよう構成される装置であって、
それぞれ自由端で終わる第１及び第２の横アームを有する本体を備える器具、及び
前記第１の横アームの前記自由端の舌側に直接取り付けられる第１の電極、及び前記第２の横アームの前記自由端の舌側に直接取り付けられる第２の電極を含み、前記第１及び第２の電極が前記舌の側面で向き合うように前記患者の口底部に対して角度配向されて構成され、前記第１及び第２の電極の各々の少なくとも一部が、前記装置が前記口腔内に挿入される際に前記患者の臼歯位置の近傍に配置される、複数の電極、及び
前記器具及び前記複数の電極に取り付けられた制御回路であって、少なくとも前記第１及び第２の電極を介して前記舌を横断して横方向に電流を誘導し、前記電気刺激を生じるよう構成される、制御回路、
を備えたことを特徴とする装置。
【請求項２】
前記複数の電極が、前記舌を横断して電圧差を与えることによって、前記電流を誘導するよう構成されることを特徴とする、請求項１記載の装置。
【請求項３】
前記電気刺激が、前記患者の口蓋舌筋を対象とするよう構成されることを特徴とする、請求項１記載の装置。
【請求項４】
前記第１及び第２の電極が、前記器具が前記口腔内に挿入される際に口蓋舌筋が前記舌に入る側面の点の近傍で前記患者の舌の両側に接触するよう構成されることを特徴とする、請求項１記載の装置。
【請求項５】
前記電極が、前記制御回路により生成される１つ以上の信号に応答することを特徴とする、請求項１記載の装置。
【請求項６】
前記口腔器具に実装され、前記制御回路に電力を供給するための電源を更に備えたことを特徴とする、請求項１記載の装置。
【請求項７】
前記器具、前記電極、前記制御回路、及び前記電源が、前記患者の口腔内に完全に収まるように構成された単一の装置を構成することを特徴とする、請求項６記載の装置。
【請求項８】
前記誘導された電流が、前記舌を横断して、１つ以上の実質的に横方向に流れるよう構成される、１つ以上の可逆電流を含むことを特徴とする、請求項１記載の装置。
【請求項９】
前記可逆電流の少なくとも１つが、ゼロサム波形を含むことを特徴とする、請求項８記載の装置。
【請求項１０】
前記可逆電流の少なくとも１つのパルス長が、前記舌に関連する抵抗−容量（ＲＣ）時定数モデルに従って構成されることを特徴とする、請求項８記載の装置。
【請求項１１】
前記誘導された電流が、前記患者の舌下神経を対象とせずに、該患者の口蓋舌筋を短縮するよう構成されることを特徴とする、請求項１記載の装置。
【請求項１２】
前記誘導された電流が、前記患者の口蓋舌弓を、前記舌の付け根に向けて、下方向に引き寄せるよう構成されることを特徴とする、請求項１記載の装置。
【請求項１３】
前記誘導された電流が、前記舌を前方向に動かすことなく、前記舌の体積を減じるよう構成されることを特徴とする、請求項１記載の装置。
【請求項１４】
前記電極の１つ以上が、前記患者の舌内又はそれに関連付けられる筋肉の電気的活動を検出するよう構成される筋電図（ＥＭＧ）センサを含むことを特徴とする、請求項１記載の装置。
【請求項１５】
患者の口腔内に少なくとも部分的に適合し、該患者の口腔に電気刺激を与えるよう構成される器具であって、
それぞれ自由端で終わる第１及び第２の横アームを有する本体、
前記第１の横アームの前記自由端の舌側に直接取り付けられる第１の電極、及び前記第２の横アームの前記自由端の舌側に直接取り付けられる第２の電極を含み、前記第１及び第２の電極が、口蓋舌筋が前記舌に入る側面の点の近傍で前記舌の向き合う舌下側に接触するように前記患者の口底部に対して角度配向されて構成され、前記第１及び第２の電極の各々の少なくとも一部が、前記装置が前記口腔内に挿入される際に前記患者の臼歯位置の近傍に配置される、複数の電極、及び
前記器具及び前記複数の電極に取り付けられた制御回路であって、少なくとも前記第１及び第２の電極を介して前記舌を横断して横方向に電流を誘導し、前記電気刺激を生じるよう構成される、制御回路、
を備えたことを特徴とする器具。
【請求項１６】
前記第１及び第２の電極が、前記舌の側面で実質的に向き合うように構成されることを特徴とす
る、請求項１５に記載の器具。
【請求項１７】
前記電気刺激が、前記患者の口蓋舌筋を対象とするよう構成されることを特徴とする、請求項１５記載の器具。
【請求項１８】
前記誘導された電流が、可逆電流を含むことを特徴とする、請求項１５に記載の器具。
【請求項１９】
前記可逆電流が、前記舌の体積を減じるよう構成されることを特徴とする、請求項２０記載の器具。
【請求項２０】
前記電気刺激が、前記患者のオトガイ舌筋を対象としないよう構成されることを特徴とする、請求項１記載の装置。
【請求項２１】
前記電気刺激が、前記患者の舌下神経を対象としないよう構成されることを特徴とする、請求項１記載の装置。
【請求項２２】
前記装置が取り外し可能であることを特徴とする、請求項１記載の装置。
【請求項２３】
前記電気刺激が、前記患者のオトガイ舌筋を対象としないよう構成されることを特徴とする、請求項１５記載の器具。
【請求項２４】
前記電気刺激が、前記患者の舌下神経を対象としないよう構成されることを特徴とする、請求項１５記載の器具。
【請求項２５】
前記可逆電流が、ゼロサム波形を含むことを特徴とする、請求項２０記載の器具。
【請求項２６】
前記可逆電流のパルス長が、前記舌に関連する抵抗−容量（ＲＣ）時定数モデルに従って構成されることを特徴とする、請求項２０記載の器具。
【請求項２７】
前記装置が取り外し可能であることを特徴とする、請求項１５記載の器具。
【請求項２８】
前記電極の少なくとも１つがさらに、前記患者における呼吸障害を検出するよう構成されることを特徴とする、請求項１記載の装置。
【請求項２９】
前記電極の少なくとも１つが、前記患者の呼吸作用を感知するよう構成されることを特徴とする、請求項１記載の装置。
【請求項３０】
前記制御回路がさらに、
第１のモード中に、前記電流を誘導するよう構成される１つ以上の第１の信号を前記電極の少なくとも１つに与え、
第２のモード中に、前記患者の呼吸作用を示す第２の信号を前記電極の少なくとも１つから受け取る、
よう構成されることを特徴とする、請求項２９に記載の装置。
【請求項３１】
前記制御回路がさらに、前記第２の信号に応じて前記１つ以上の第１の信号を動的に調整するよう構成されることを特徴とする、請求項３０に記載の装置。
【請求項３２】
前記電極の少なくとも１つがさらに、前記患者における呼吸障害を検出するよう構成されることを特徴とする、請求項１５記載の器具。
【請求項３３】
前記電極の少なくとも１つが、前記患者の呼吸作用を感知するよう構成されることを特徴とする、請求項１５記載の器具。
【請求項３４】
前記制御回路がさらに、
第１のモード中に、前記電流を誘導するよう構成される１つ以上の第１の信号を前記電極の少なくとも１つに与え、
第２のモード中に、前記患者の呼吸作用を示す第２の信号を前記電極の少なくとも１つから受け取る、
よう構成されることを特徴とする、請求項３３に記載の器具。
【請求項３５】
前記制御回路がさらに、前記第２の信号に応じて前記１つ以上の第１の信号を動的に調整するよう構成されることを特徴とする、請求項３４に記載の器具。